(57)【要約】【課題】  流動液の終了状態を略正確に検知して長期使用や利便性等を向上させることができ、結露を防いで筆記不良を安価に抑制防止できる塗布具を提供する。【解決手段】  後軸１と、後軸１に収容されるインキ吸蔵体１０と、インキ吸蔵体１０の先端部に対向するインキ吸蔵体受け２０と、後軸１の開口部に装着されて視認性を有する先軸３０と、先軸３０に挿入されてインキ吸蔵体１０からのインキを流動させる検知管４０と、検知管４０に支持されてインキ吸蔵体１０のインキを流出させる中継芯５０と、検知管４０に支持されて中継芯５０の反対側に位置し、中継芯５０に検知空間６３をおいて対向するペン芯６０とを備え、検知管４０、中継芯５０、及びペン芯６０を一体構造に構成する。検知管４０の検知空間６３におけるインキの有無に基づき、インキの終了状態を視覚的に正確に把握することができる。
2005023559.tif 000002
【特許請求の範囲】
【請求項１】
流動液吸蔵体から塗布部に流動液を供給する塗布具であって、流動液吸蔵体を収容する中空の後軸と、少なくとも流動液吸蔵体の端部に対向する流動液吸蔵体受けと、中空に形成されて後軸の開口部に取り付けられる視認性の先軸と、この先軸に挿入される略透明の検知管と、この検知管に支持されて流動液吸蔵体に接触する中継芯と、検知管に支持されて中継芯に隙間をおいて対向し、先軸から露出するペン芯とを含んでなることを特徴とする塗布具。
【請求項２】
流動液を、アルコール系のインキとした請求項１記載の塗布具。
【請求項３】
後軸を先端が開口した有底筒形に形成し、この後軸の内周面の一部を拡径内周面に形成し、後軸の内周面の残部を縮径内周面に形成した請求項１又は２記載の塗布具。
【請求項４】
流動液吸蔵体受けを中空の凸字形に形成し、この流動液吸蔵体受けを後軸の開口部内に嵌め入れて流動液吸蔵体の先端部と嵌め合わせた請求項１、２、又は３記載の塗布具。
【請求項５】
先軸、検知管、中継芯、及びペン芯のうち、少なくとも検知管、中継芯、及びペン芯を一体化するようにした請求項１ないし４いずれかに記載の塗布具。
【請求項６】
先軸を透明の凸字形に形成して流動液吸蔵体受けの先端部に嵌め入れた請求項１ないし５いずれかに記載の塗布具。
【請求項７】
検知管を筒形に形成して流動液吸蔵体受けと先軸とに支持させるようにした請求項１ないし６いずれかに記載の塗布具。
【請求項８】
先軸の内周面と検知管の外周面の一方に圧接部を、他方には被圧接部をそれぞれ形成し、これら圧接部と被圧接部を少なくとも強く接触させるようにした請求項１ないし７いずれかに記載の塗布具。
【請求項９】
ペン芯を略円柱形に形成してその最大幅部を検知管に嵌め入れるようにした請求項１ないし８いずれかに記載の塗布具。
【請求項１０】
検知管に流動液吸蔵体受けを設けた請求項１ないし９いずれかに記載の塗布具。
【請求項１１】
検知管の流動液吸蔵体側の端部から半径外方向に向けてフランジを突出させ、このフランジを流動液吸蔵体受けとした請求項１０記載の塗布具。
【請求項１２】
先軸の先端部を徐々に狭まる縮径テーパ部に形成し、検知管から露出するペン芯の露出面に取付溝を形成してこの取付溝には飛び出し規制体を設け、先軸の縮径テーパ部からペン芯を突出させるとともに、縮径テーパ部の内面に、ペン芯の飛び出し規制体を接触させるようにした請求項１ないし１１いずれかに記載の塗布具。
【請求項１３】
検知管の流動液吸蔵体側の端部から半径外方向に向けてフランジを突出させ、このフランジの周縁部を流動液吸蔵体方向に伸ばして筒形部を形成し、フランジと筒形部とを流動液吸蔵体受けとした請求項１２記載の塗布具。
【請求項１４】
流動液吸蔵体受けを略筒形に形成し、この流動液吸蔵体受けを後軸に嵌め入れて流動液吸蔵体の端部に嵌め、流動液吸蔵体受けの周壁に結露防止孔を設けた請求項１ないし１３いずれかに記載の塗布具。
【請求項１５】
流動液吸蔵体受けの周壁に、毛管作用を生じさせる微細な凹凸を形成してその形状を凹字形、凸字形、及び又は断面略Ｖ字形とした請求項１４記載の塗布具。
【請求項１６】
少なくとも検知管に作用する衝撃を吸収する衝撃吸収手段を備えてなる請求項１ないし１５いずれかに記載の塗布具。
【請求項１７】
衝撃吸収手段を、後軸の拡径内周面と縮径内周面との間に形成され、流動液吸蔵体受けの開口周縁部に接触する傾斜段差面とした請求項１５記載の塗布具。
【請求項１８】
衝撃吸収手段を、後軸の拡径内周面と縮径内周面との間の段差面と、この段差面と流動液吸蔵体受けの開口周縁部との間に介在する緩衝体とから構成した請求項１５記載の塗布具。
【請求項１９】
衝撃吸収手段を、弾性を有する後軸とした請求項１５記載の塗布具。
【発明の詳細な説明】
【技術分野】
【０００１】
本発明は、インキの終了を簡単に検知することのできるマーカ等からなる塗布具に関するものである。
【背景技術】
【０００２】
塗布具である筆記具には、後軸のインキ吸蔵体からペン芯に水性インキや油性インキ等からなるインキが供給される中綿式のタイプ、換言すれば、マーカと呼ばれるタイプがある。
この中綿式のマーカは、様々なタイプに分類されるが、例えばインキ吸蔵体からペン芯までの中身を使用者に視覚的に把握させるタイプ（特許文献１参照）やアルコール系のインキを使用するタイプに分類される。
【特許文献１】特開平６−２７０５８５号公報
【発明の開示】
【発明が解決しようとする課題】
【０００３】
従来の中綿式のマーカは以上のようにインキ吸蔵体からペン芯までを使用者に視認させるタイプがあるが、このタイプはインキ吸蔵体に吸蔵されたインキの色の度合いからインキの残量をある程度把握することができるものの、インキの終了状態（終了サイン）を正確に検知することができない。したがって、長期使用や利便性等の向上を図ることができないという問題がある。【０００４】
また、アルコール系のインキを用いるマーカは、結露が発生しやすいが、この結露が生じると筆記不良を招くという問題がある。この問題を解消するには、キャップにフェルトやスポンジを内蔵し、これらフェルトやスポンジにより、ペン芯からの揮発を抑制する方法が考えられる。【０００５】
しかしながら、この場合には、キャップの内部に結露が発生して筆記描線が薄くなるという大きな問題が新たに生じることになる。この問題の対策としては、樹脂を肉厚に成形してキャップの内部温度の変化を抑制する方法があるが、これでは、コスト削減を図ることができない。【０００６】
本発明は上記に鑑みなされたもので、流動液の終了状態を略正確に検知して長期使用や利便性等を向上させることができ、結露を防いで筆記不良を安価に抑制防止することのできる塗布具を提供することを目的としている。
【課題を解決するための手段】
【０００７】
本発明においては上記課題を解決するため、流動液吸蔵体から塗布部に流動液を供給するものであって、流動液吸蔵体を収容する中空の後軸と、少なくとも流動液吸蔵体の端部に対向する流動液吸蔵体受けと、中空に形成されて後軸の開口部に取り付けられる視認性の先軸と、この先軸に挿入される略透明の検知管と、この検知管に支持されて流動液吸蔵体に接触する中継芯と、検知管に支持されて中継芯に隙間をおいて対向し、先軸から露出するペン芯とを含んでなることを特徴としている。【０００８】
なお、流動液を、アルコール系のインキとすることができる。
また、後軸を先端が開口した有底筒形に形成し、この後軸の内周面の一部を拡径内周面に形成し、後軸の内周面の残部を縮径内周面に形成することが好ましい。
また、流動液吸蔵体受けを中空の凸字形に形成し、この流動液吸蔵体受けを後軸の開口部内に嵌め入れて流動液吸蔵体の先端部と嵌め合わせることができる。
また、先軸、検知管、中継芯、及びペン芯のうち、少なくとも検知管、中継芯、及びペン芯を一体化することができる。【０００９】
また、先軸を透明の凸字形に形成して流動液吸蔵体受けの先端部に嵌め入れることが好ましい。
また、検知管を筒形に形成して流動液吸蔵体受けと先軸とに支持させることができる。
また、先軸の内周面と検知管の外周面の一方に圧接部を、他方には被圧接部をそれぞれ形成し、これら圧接部と被圧接部を少なくとも強く接触させることができる。
また、ペン芯を略円柱形に形成してその最大幅部を検知管に嵌め入れることが好ましい。
また、検知管に流動液吸蔵体受けを設けることができる。【００１０】
また、検知管の流動液吸蔵体側の端部から半径外方向に向けてフランジを突出させ、このフランジを流動液吸蔵体受けとすることができる。
また、先軸の先端部を徐々に狭まる縮径テーパ部に形成し、検知管から露出するペン芯の露出面に取付溝を形成してこの取付溝には飛び出し規制体を設け、先軸の縮径テーパ部からペン芯を突出させるとともに、縮径テーパ部の内面に、ペン芯の飛び出し規制体を接触させることができる。【００１１】
また、検知管の流動液吸蔵体側の端部から半径外方向に向けてフランジを突出させ、このフランジの周縁部を流動液吸蔵体方向に伸ばして筒形部を形成し、フランジと筒形部とを流動液吸蔵体受けとすることができる。
また、流動液吸蔵体受けを略筒形に形成し、この流動液吸蔵体受けを後軸に嵌め入れて流動液吸蔵体の端部に嵌め、流動液吸蔵体受けの周壁に結露防止孔を設けることができる。【００１２】
また、流動液吸蔵体受けの周壁に、毛管作用を生じさせる微細な凹凸を形成してその形状を凹字形、凸字形、及び又は断面略Ｖ字形とすることが好ましい。
また、少なくとも検知管に作用する衝撃を吸収する衝撃吸収手段を備えることができる。
また、衝撃吸収手段を、後軸の拡径内周面と縮径内周面との間に形成され、流動液吸蔵体受けの開口周縁部に接触する傾斜段差面とすることができる。
さらに、衝撃吸収手段を、後軸の拡径内周面と縮径内周面との間の段差面と、この段差面と流動液吸蔵体受けの開口周縁部との間に介在する緩衝体とから構成することもできる。
さらにまた、衝撃吸収手段を、弾性を有する後軸とすることもできる。【００１３】
ここで、請求の範囲における流動液吸蔵体は、その毛細管力の分布がペン芯側に向かうほど大きくなることが好ましい。略透明という用語には、透明と半透明の双方の意味が含まれる。また、検知管は、円筒形、楕円形の筒形、三角形の筒形、四角形の筒形、多角形の筒形、星形の筒形等に形成される。この検知管の表面張力は、流動液の表面張力よりも小さいことが望ましい。検知管の流路断面積は８×１０-2〜８０ｍｍ2の範囲が良い。【００１４】
中継芯は、流動液吸蔵体の全長の５％以上の長さで接触していることが好ましい。この中継芯の断面積は、流動液吸蔵体の断面積の１％〜９０％であるのが良い。中継芯の毛細管力は、流動液吸蔵体の毛細管力よりも大きいことが望ましい。中継芯は、内外二層構造に構成され、外層部の毛細管力が内層部の毛細管力よりも大きいことが望ましい。【００１５】
圧接部と被圧接部とは、例えば凹部と凸部とからなるものでも良いし、強く接触して摩擦する関係の他、嵌め合い関係等を形成するものでも良い。飛び出し規制体としては、例えばエンドレスのＯリング、成形部品、金属部品等を用いることができる。また、結露防止孔は、単数でも良いし、複数でも良い。断面略Ｖ字形には、断面Ｕ字形と断面Ｖ字形のいずれもが含まれる。【００１６】
衝撃吸収手段は、特に限定されるものではないが、例えば先軸と検知管の外周面間に形成される段差面や検知管と中継芯の間に形成される段差面等とすることができる。さらに、塗布具は、サインペン、マーカ、修正具等の各種筆記具、化粧具等として使用することができる。【００１７】
本発明によれば、後軸内の流動液が流動液吸蔵体から中継芯、及び検知管を経由してペン芯に流れ、このペン芯に対する浸透により流動液を塗布することができる。流動液の塗布により、流動液が減少して塗布が終了する場合には、略透明の検知管に流動液が存在しなくなるので、流動液の終了等を視覚的に検知することができる。【００１８】
また、流動液吸蔵体受けの結露防止孔が結露水を流動液吸蔵体受けの外側から流動液吸蔵体受けの内側に導くので、結露の発生を抑制することができる。また、凹凸がその毛管力により結露水を流動液吸蔵体受けの外側から流動液吸蔵体受けの内側を介し流動液吸蔵体やペン芯に戻すので、空気置換用の流通路が遮断されることが少なく、結露により筆記描線が薄くなるのを抑制できる。
【発明の効果】
【００１９】
本発明によれば、流動液の終了状態を略正確に検知して長期使用や利便性等を向上させることができるという効果がある。また、結露を防いで筆記不良を安価に抑制防止することができる。
【図面の簡単な説明】
【００２０】
【図１】本発明に係る塗布具の実施形態を示す部分断面説明図である。
【図２】本発明に係る塗布具の実施形態におけるインキ吸蔵体受けが後軸の傾斜段差面に接触する状態を示す部分断面説明図である。
【図３】本発明に係る塗布具の実施形態を示す要部断面説明図である。
【図４】本発明に係る塗布具の第２の実施形態を示す要部断面説明図である。
【図５】本発明に係る塗布具の第３の実施形態を示す要部断面説明図である。
【図６】本発明に係る塗布具の第４の実施形態を示す部分断面説明図である。
【図７】本発明に係る塗布具の第４の実施形態におけるインキ吸蔵体受けを示す断面説明図である。
【図８】図７の背面図である。
【図９】本発明に係る塗布具の第４の実施形態におけるインキ吸蔵体受けの断面凹形を呈する凹凸を示す断面説明図である。
【図１０】本発明に係る塗布具の第４の実施形態におけるインキ吸蔵体受けの断面凸形を呈する凹凸を示す断面説明図である。
【図１１】本発明に係る塗布具の第４の実施形態におけるインキ吸蔵体受けの断面略Ｖ字形を呈する凹凸を示す断面説明図である。
【図１２】本発明に係る塗布具の第５の実施形態を示す要部断面説明図である。
【図１３】本発明に係る塗布具の第５の実施形態におけるインキ吸蔵体受けが後軸の傾斜段差面に接触する状態を示す部分断面説明図である。
【図１４】本発明に係る塗布具の第６の実施形態を示す要部断面説明図である。
【符号の説明】
【００２１】
１          後軸
２          拡径内周面
３          縮径内周面
４          傾斜段差面
１０        インキ吸蔵体（流動液吸蔵体）
２０        インキ吸蔵体受け（流動液吸蔵体受け）
２１        結露防止孔
２２        凹凸
３０        先軸
３１        先端部
３３        位置決めフランジ
３４        圧接部
３５        縮径テーパ部
４０        検知管
４１        被圧接部
４２        フランジ（流動液吸蔵体受け）
５０        中継芯
６０        ペン芯
６２        最大幅部
６３        検知空間（隙間）
６４        飛び出し規制リング（飛び出し規制体）
７０        衝撃吸収手段
７１        傾斜段差面
７２        段差面
７３        緩衝体
【発明を実施するための最良の形態】
【００２２】
以下、図面を参照して本発明の好ましい実施形態を説明すると、本実施形態における塗布具は、図１ないし図３に示すように、中空の後軸１と、この後軸１に交換可能に収容されるインキ吸蔵体１０と、このインキ吸蔵体１０の先端部に対向するインキ吸蔵体受け２０と、後軸１の開口部に装着されて視認性を有する略円筒形の先軸３０と、この先軸３０に挿入されてインキ吸蔵体１０からの流動液であるインキを流動させる検知管４０と、この検知管４０に支持されてインキ吸蔵体１０のインキを流出させる中継芯５０と、検知管４０に支持されて中継芯５０の反対側に位置するペン芯６０とを備え、中綿式のマーカからなる筆記具として利用される。【００２３】
後軸１は、図１に示すように、例えばＰＰ等からなる所定の合成樹脂を使用して先端が開口部である長い有底円筒形に成形され、筆記具の本体として機能する。この後軸１は、その内周面の一部である略前半分が拡径内周面２に形成され、内周面の残部である略後半分が縮径内周面３に形成されており、これら拡径内周面２と縮径内周面３の間が傾斜段差面４に形成される（図２参照）。後軸１は、外観上や実用上の観点から不透明あるいは透明に成形される。【００２４】
流動液吸蔵体であるインキ吸蔵体１０は、図１に示すように、所定の材料を使用して細長い円柱形に形成され、水性インキや油性インキ等からなる筆記用のインキ（図１の矢印参照）が含浸される。この中綿であるインキ吸蔵体１０は、例えば天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ＰＰ系樹脂、ポリエーテル系樹脂、ポリフェニレン系樹脂、フェルト等の繊維を使用して束体に形成される。またこれ以外にも、スポンジ、樹脂粒子、焼結体の多孔体を選択的に使用して形成される。【００２５】
インキは、その終了状態を使用者に良好に検知させるため、表面張力が２５℃以下で１８ｍＮ／ｍ以上、好ましくは２５℃以下で２０〜５０ｍＮ／ｍ以上に設定される。このインキの表面張力は、インキの組成に界面活性剤等を必要に応じて配合することにより調整される。【００２６】
インキの粘度係数は、ペン芯６０に対する円滑な供給を確保するため、２５℃以下で５００ｍＰａ・ｓ以下、好ましくは２００ｍＰａ・ｓ以下、より好ましくは１〜１００ｍＰａ・ｓ以下に設定される。これは、インキの粘度係数が５００ｍＰａ・ｓを超える場合には、インキの流出量を十分に確保することができなくなり、流量不足に伴いかすれ等を招くおそれがあるからである。このインキの粘度係数は、インキ組成物に増粘剤等を必要に応じて配合することにより調整される。【００２７】
流動液吸蔵体受けであるインキ吸蔵体受け２０は、同図に示すように、例えばＰＰ等からなる所定の合成樹脂を使用して中空の凸字形に成形される。このようなインキ吸蔵体受け２０は、後軸１の先端の開口部からその内部に隙間を介し嵌入されて傾斜段差面４に接触し、インキ吸蔵体１０の先端側端部に嵌合接触する。【００２８】
先軸３０は、図１に示すように、例えばＰＰ等からなる所定の合成樹脂を使用して中空透明の凸字形に成形され、光透過率が３０％〜１００％、好ましくは５０％〜１００％、より好ましくは８０％以上に設定されており、後軸１の開口部に装着されてインキ吸蔵体受け２０の縮径の先端部に嵌入される。【００２９】
先軸３０は、その先端部３１に、ペン芯保護用のキャップ３２が着脱自在に嵌合され、略中央部付近の外周面には半径外方向に張り出すリング形の位置決めフランジ３３が突設されており、この位置決めフランジ３３が後軸１の開口部の端面に位置決め接触する。先端部３１の内周面周方向には、半径内方向に指向する略リング形の圧接部３４が選択的に突設される。【００３０】
検知管４０は、同図に示すように、所定の材料を使用して視認性を有する円筒形に成形され、インキ吸蔵体受け２０の先端部と先軸３０の先端部３１とに貫通支持される。この検知管４０の材料としては、ポリプロピレン、ポリエチレン、環状ポリオレフィン、ポリ（１‐メチル‐４‐ペンテン）等のポリオレフィン系樹脂、ポリスチレン、ポリエチレンテレフタレート、ポリエチレンナフタレート、ポリブチレンテレフタレート、フッ素樹脂、シリコーンゴム等があげられる。【００３１】
検知管４０の内周面には、フッ素やシリコーン樹脂等のコート処理が選択的に施され、この処理により、検知管４０の表面張力がインキの表面張力よりも小さくなる。検知管４０の外周面周方向には、溝状の被圧接部４１が切り欠かれ、この被圧接部４１が圧接部３４と相互に嵌合して圧接する。【００３２】
中継芯５０は、同図に示すように、所定の材料を使用して略円柱形に形成され、インキ吸蔵体受け２０内における検知管４０のインキ吸蔵体側端部に嵌入支持される。この中継芯５０は、インキ吸蔵体受け２０から突出してインキ吸蔵体１０の先端部に挿入され、インキ吸蔵体１０のインキをペン芯６０に検知管４０を介して供給するよう機能する。【００３３】
中継芯５０は、例えば天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂、フェルト等の繊維を使用して束体に形成される。また、これ以外にも、スポンジ、樹脂粒子、焼結体の多孔体を使用して形成することができる。【００３４】
中継芯５０は、インキ吸蔵体１０の全長の５％以上、好ましくは１０％以上、より好ましくは２０％〜１００％、さらに好ましくは５０％〜１００％の長さとされる。これは、中継芯５０の長さがインキ吸蔵体全長の５％未満の場合には、従来の中綿式タイプと同レベルのインキ消費率になるおそれがあるからである。【００３５】
ペン芯６０は、図１に示すように、所定の材料を使用して先端の丸まった略円柱形に形成され、検知管４０の反インキ吸蔵体側端部にＯリング６１を介し嵌入支持されて先軸３０の先端部３１から露出する。このペン芯６０は、例えば天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂、フェルト等の繊維を使用して束体に形成される。また、これ以外にも、スポンジ、樹脂粒子、焼結体の多孔体を使用して適宜形成される。【００３６】
ペン芯６０は、その硬い周面にＯリング用の溝が周方向に適宜切り欠かれ、最大幅部６２が検知管４０に嵌入される。このようなペン芯６０は、中継芯５０の先端部に空気置換用の隙間である検知空間６３をおいて対向するとともに、検知管４０や中継芯５０と共に一列に並んで一体化され、検知空間６３のインキを紙面に供給する。【００３７】
上記構成において、インキは、インキ吸蔵体１０から中継芯５０、及び検知管４０を経由してペン芯６０に浸透し、このペン芯６０に対する浸透により筆記が可能になる。そして、長期に亘る筆記により、インキが減少して終了する場合には、透明の検知管４０の検知空間６３をインキが通過しなくなるので、インキの終了状態を視覚的に簡単明瞭に検知することができる。【００３８】
上記構成によれば、検知管４０の検知空間６３におけるインキの有無に基づき、インキの終了状態をその色の度合いに関わりなく、視覚的に正確に把握することができる。したがって、例えペン芯６０が乾燥してかすれた場合でも、インキの終了状態が誤って検知されることがなく、これを通じて筆記具の長期使用や利便性等を向上させることができる。【００３９】
また、別部品である検知管４０、中継芯５０、及びペン芯６０を一体構造に組み立てて一体化するので、検知管４０に気泡の混入を招くことなく容易に組み立てることができ、組立性や製造性等が著しく向上する。また、圧接部３４と被圧接部４１とが強く係合し合うので、摩擦力や嵌め合い力により、先軸３０や検知管４０の脱落等を有効に防止することができる。【００４０】
さらに、ペン芯６０の最大幅部６２を検知管４０に嵌入して寸法安定性を増大させ、樹脂成分が多く硬度の高い領域でシールして強度を向上させることができる。これにより、筆記時のペン芯６０の横倒れを防いだり、安定したシール性を確保することが可能となり、さらには気泡の混入防止も期待することができる。【００４１】
次に、図４は本発明における第２の実施形態を示すもので、この場合には、検知管４０のインキ吸蔵体側の端部から半径外方向に向けてフランジ４２を突設し、このフランジ４２を、インキ吸蔵体１０の先端部に対向するインキ吸蔵体受け２０とするようにしている。その他の部分については、上記実施形態と同様であるので説明を省略する。【００４２】
本実施形態においても上記実施形態と同様の作用効果が期待でき、しかも、検知管４０のフランジ４２がインキ吸蔵体受け２０として機能するので、別部品であるインキ吸蔵体受け２０を省略することができる。したがって、組立性や製造性を著しく向上させることができるのは明らかである。また、検知管４０のフランジ４２が先軸３０の内周面に接触してインキ遮断用の隔壁を形成するので、インキ吸蔵体１０から先軸３０と検知管４０の間にインキが不必要に流入するのを有効に防止することができる。【００４３】
次に、図５は本発明における第３の実施形態を示すもので、この場合には、先軸３０の先端部３１を徐々に狭まる縮径テーパ部３５に形成し、検知管４０から露出するペン芯６０の露出面に取付溝を周方向に切り欠き形成してこの取付溝にはエンドレスの飛び出し規制体である飛び出し規制リング６４を嵌着し、先軸３０の縮径テーパ部３５からペン芯６０を突出させるとともに、先軸３０の縮径テーパ部内面にペン芯６０の飛び出し規制リング６４を接触させるようにしている。【００４４】
先軸３０は、軸方向に伸長形成され、周壁に複数の段差部が形成される。検知管４０は、軸方向に伸長形成され、フランジ４２の周縁部がインキ吸蔵体方向に屈曲伸長されて筒形部を形成しており、このフランジ４２を含む筒形部分がインキ吸蔵体受け２０とされる。その他の部分については、上記実施形態と同様であるので説明を省略する。【００４５】
本実施形態においても上記実施形態と同様の作用効果が期待でき、しかも、先軸３０の縮径テーパ部内面に飛び出し規制リング６４を係合させるので、簡易な構成で検知管４０からペン芯６０が脱落するのを有効に防止することができるのは明らかである。また、フランジ４２を含む筒形部分がインキ吸蔵体用の保持部分となるので、手を汚さずに使用済みのインキ吸蔵体１０を交換することができる。【００４６】
次に、図６ないし図１１は本発明における第４の実施形態を示すもので、この場合には、インキ吸蔵体受け２０を略円筒形に形成し、このインキ吸蔵体受け２０を後軸１に嵌入してインキ吸蔵体１０の端部に嵌合し、インキ吸蔵体受け２０の周壁に結露防止孔２１を穿孔するとともに、インキ吸蔵体受け２０の周壁には、毛管作用を生じさせる微細な凹凸２２を形成するようにしている。【００４７】
インキ吸蔵体受け２０は、図６ないし図８に示すように、例えばＰＰ等からなる所定の合成樹脂を使用して中空凸字の円筒形に成形され、インキの飛散を抑制防止するよう機能する。このインキ吸蔵体受け２０は、その周壁にペン芯６０からの揮発比率を低下させる結露防止孔２１が任意の数だけ穿孔され、周壁の内外面には、毛管力を生じさせる微細な凹凸２２が軸方向に向けそれぞれ形成される。【００４８】
凹凸２２は、例えばインキ吸蔵体受け２０の周方向に所定のピッチで並ぶ複数の断面凹字形（図９参照）、断面凸字形（図１０参照）、あるいは断面略Ｖ字形（図１１参照）等に形成される。このようなインキ吸蔵体受け２０は、後軸１の開口部からその内部に嵌入されて後軸１の拡径内周面２に対向するとともに、傾斜段差面４に接触し、インキ吸蔵体１０の先端側端部に嵌合接触する。その他の部分については、上記実施形態と同様であるので説明を省略する。【００４９】
本実施形態においても上記実施形態と同様の作用効果が期待でき、しかも、結露防止孔２１が結露水をインキ吸蔵体受け２０の外面からインキ吸蔵体受け２０の内部に導き、結露の発生を抑制する。したがって、例えインキがアルコール系のインキの場合でも結露が発生し難く、結露に伴い筆記不良を招くのを有効に抑制防止することができる。【００５０】
また、複数の凹凸２２が毛管力により結露水をインキ吸蔵体受け２０の外面からインキ吸蔵体受け２０の内部を介しインキ吸蔵体１０やペン芯６０に戻すので、筆記時の空気置換用の流通路が遮断されることがなく、結露が発生して筆記描線が薄くなることもない。この効果により、樹脂を肉厚に成形してキャップ３２の内部温度の変化を抑制しなくても良いので、コスト削減を図ることが可能になる。さらに、交換時にインキ吸蔵体１０の外面がベタベタすることがないので、不快感を少なくすることが可能になる。【００５１】
次に、図１２や図１３は本発明における第５の実施形態を示すもので、この場合には、後軸１、インキ吸蔵体１０、インキ吸蔵体受け２０、先軸３０、検知管４０、中継芯５０、及びペン芯６０の他、検知管４０に加わる衝撃等を吸収する衝撃吸収手段７０を備えるようにしている。【００５２】
衝撃吸収手段７０は、図１３に示すように、後軸１の拡径内周面２と縮径内周面３の間に斜設され、インキ吸蔵体受け２０の開口周縁部にスライド可能に摺接されるテーパ形の傾斜段差面７１からなる。その他の部分については、上記実施形態と同様であるので説明を省略する。【００５３】
本実施形態においても上記実施形態と同様の作用効果が期待でき、しかも、筆記具の落下時等に衝撃吸収手段７０の傾斜段差面７１がインキ吸蔵体受け２０の開口周縁部をガイドして軸方向にスライド（矢印参照）させるので、衝撃を緩和して検知管４０に対する致命的な気泡の混入を抑制防止することができる。【００５４】
この点について詳しく説明すると、検知管４０に衝撃が作用して気泡が侵入した場合、インキの残量に関わりなく気泡が徐々に成長し、やがて検知管４０の検知空間６３へのインキの通過を規制してインキの終了状態を虚偽表示することとなる。特に、ペン芯６０が上向きで落下するような場合、インキ吸蔵体１０のインキが流動して検知管４０内を急激に減圧し、検知管４０に気泡が略確実に発生する。【００５５】
また、傾斜段差面７１がインキ吸蔵体受け２０に単に当接して位置決め固定するのではなく、外力の作用に伴い傾斜段差面７１がインキ吸蔵体受け２０をスライドさせるので、衝撃の減衰効果が大いに期待できる。したがって、気泡の侵入を抑制防止し、インキ終了状態の虚偽表示をきわめて有効に防ぐことができる。【００５６】
次に、図１４は本発明における第６の実施形態を示すもので、この場合には、衝撃吸収手段７０を、後軸１の拡径内周面２と縮径内周面３の間に区画形成される平坦な段差面７２と、この段差面７２とインキ吸蔵体受け２０の開口周縁部との間に介在される弾性の緩衝体７３とから構成するようにしている。【００５７】
緩衝体７３としては、例えば単数複数のＯリング、エンドレスのゴム、エラストマー、スポンジ等があげられる。その他の部分については、上記実施形態と同様であるので説明を省略する。
本実施形態においても上記実施形態と同様の作用効果が期待でき、上記第５の実施形態を採用できない場合に実に有益である。【００５８】
次に、本発明における第７の実施形態を図面を用いることなく説明すると、この場合には、後軸１の材料の一部をエラストマー材料として可撓性や弾性を付与し、後軸１そのものを衝撃吸収手段７０とするようにしている。【００５９】
エラストマー材料は、特に限定されるものではないが、後軸１の材料がポリプロピレンの場合には、耐候性や耐水性に優れるブチルゴム系エラストマーが最適である。その他の部分については、上記実施形態と同様であるので説明を省略する。
本実施形態においても上記実施形態と同様の作用効果が期待でき、しかも、後軸自体が衝撃吸収手段７０の衝撃緩和機能を有するので、部品点数の削減や複雑な加工の省略を図ることができるのは明らかである。【００６０】
なお、上記実施形態では後軸１を単に示したが、特に問題がなければ、後軸１の一部を透明に形成しても良い。また、先軸３０、検知管４０、中継芯５０、及びペン芯６０を一体構造に構成しても良い。また、検知管４０に中継芯５０とペン芯６０とをそれぞれ圧入しても良いが、例えば三つ割れのチャック構造等に構成することもできる。また、検知管４０の外周面周方向に被圧接部４１を溝状に切り欠くのではなく、検知管４０の平坦な外周面をそのまま被圧接部４１としても良い。【００６１】
さらに、後軸１とインキ吸蔵体１０の末端部との間にゴム等の緩衝体７３を介在させ、この弾性の緩衝体７３を衝撃吸収手段７０としても良い。さらにまた、衝撃吸収手段７０を、先軸３０と検知管４０との間に介在される弾性の緩衝体７３としても良いし、検知管４０と中継芯５０の間に介在される弾性の緩衝体７３とすることもできる。
【図１】
2005023559.tif 000003
【図２】
2005023559.tif 000004
【図３】
2005023559.tif 000005
【図４】
2005023559.tif 000006
【図５】
2005023559.tif 000007
【図６】
2005023559.tif 000008
【図７】
2005023559.tif 000009
【図８】
2005023559.tif 000010
【図９】
2005023559.tif 000011
【図１０】
2005023559.tif 000012
【図１１】
2005023559.tif 000013
【図１２】
2005023559.tif 000014
【図１３】
2005023559.tif 000015
【図１４】
2005023559.tif 000016
【国際調査報告】
2005023559.tif 000017
2005023559.tif 000018
2005023559.tif 000019
2005023559.tif 000020
2005023559.tif 000021
2005023559.tif 000022